Podtech/llm-jp-corpus-v4-ja_patent huggingface dataset:
【手続補正書】
【提出日】平成17年9月5日(2005.9.5)
【手続補正１】
【補正対象書類名】特許請求の範囲
【補正対象項目名】全文
【補正方法】変更
【補正の内容】
【特許請求の範囲】
【請求項１】
その中に形成された１つ以上の凹部を含む外部表面を有する転写ロールを提供する工程と、
溶融熱可塑性組成物を前記転写ロールの外部表面に分配する工程と、
前記溶融熱可塑性組成物を前記転写ロールの前記外部表面から拭き取って、前記溶融熱可塑性組成物の一部が前記１つ以上の凹部に入り、さらに前記１つ以上の凹部の前記溶融熱可塑性組成物の前記部分が、前記溶融熱可塑性組成物を前記転写ロールの前記外部表面から拭き取った後、前記１つ以上の凹部に残るようにする工程と、
前記基材の第１の主面を前記転写ロールの前記外部表面および前記１つ以上の凹部にある前記溶融熱可塑性組成物と接触させて前記基材を前記転写ロールから分離することにより、前記１つ以上の凹部の前記溶融熱可塑性組成物の少なくとも一部を前記基材の前記第１の主面に転写して、前記基材から前記転写ロールを分離した後、前記熱可塑性組成物を含む１箇所以上の不連続ポリマー領域を前記基材の前記第１の主面に配置されるようにしかつ、その際、前記基材の第１の主面に多孔性表面を含ませ、該転写工程が、前記基材の第１の主面の一部を前記１つ以上の凹部に押し込む工程をさらに含み、そして前記１つ以上の凹部にある前記熱可塑性組成物の一部が前記１つ以上の凹部内の前記多孔性表面に浸透する工程と、
前記基材の前記１箇所以上の不連続ポリマー領域を、圧力下で形成ツールと接触させて、前記形成ツールと接触している前記１箇所以上の不連続ポリマー領域の少なくとも１箇所の不連続ポリマー領域に含まれる前記熱可塑性組成物の一部が前記形成ツールの複数のキャビティに入るようにする工程と、
前記基材および前記１箇所以上の不連続ポリマー領域を前記形成ツールから分離して、前記１箇所以上の不連続ポリマー領域を前記形成ツールから分離した後、前記少なくとも１箇所の不連続ポリマー領域が前記形成ツールの前記複数のキャビティに対応するその上に形成された複数の構造を含むようにする工程と
を含む複合ウェブの製造方法。
【請求項２】
その中に形成された１つ以上の凹部を含む外部表面を有する転写ロールを提供する工程と、
溶融熱可塑性組成物を前記転写ロールの外部表面に分配する工程と、
前記溶融熱可塑性組成物を前記転写ロールの前記外部表面から拭き取って、前記溶融熱可塑性組成物の一部が前記１つ以上の凹部に入り、前記溶融熱可塑性組成物を前記転写ロールの前記外部表面から拭き取った後、前記１つ以上の凹みの前記溶融熱可塑性組成物の一部が前記１つ以上の凹部に残り、前記拭き取り後、前記１つ以上の凹部の実質的に全てが前記溶融熱可塑性組成物で実質的に充填されるようにする工程と、
基材の第１の主面の一部を前記１つ以上の凹部に押し付け、前記第１の主面が繊維を含む多孔性表面を含み、前記１つ以上の凹部にある前記溶融熱可塑性組成物の一部が前記多孔性表面に浸透し、さらに、前記溶融熱可塑性組成物が、前記繊維の少なくとも数本の少なくとも一部を封入するようにする工程と、
前記基材を前記転写ロールから分離して、前記基材を前記転写ロールから分離した後、前記熱可塑性組成物を含む１箇所以上の不連続ポリマー領域が、前記基材の前記第１の主面に配置されるようにする工程と、
前記基材の１箇所以上の不連続ポリマー領域を、圧力下で形成ツールと接触させて、前記形成ツールと接触している前記１箇所以上の不連続ポリマー領域の少なくとも１箇所の不連続ポリマー領域に含まれる前記熱可塑性組成物の一部が前記形成ツールの複数のキャビティに入るようにする工程と、
前記基材および前記１箇所以上の不連続ポリマー領域を前記形成ツールから分離して、前記１箇所以上の不連続ポリマー領域を前記形成ツールから分離した後、前記少なくとも１箇所の不連続ポリマー領域が前記形成ツールの前記複数のキャビティに対応するその上に形成された複数の構造を含むようにする工程と
を含む複合ウェブの製造方法。
【請求項３】
その中に形成された１つ以上の凹部を含む外部表面を有する転写ロールを提供する工程と、
溶融熱可塑性組成物を前記転写ロールの外部表面に分配する工程と、
前記溶融熱可塑性組成物を前記転写ロールの前記外部表面から拭き取って、前記溶融熱可塑性組成物の一部が前記１つ以上の凹部に入り、さらに前記１つ以上の凹部の前記溶融熱可塑性組成物の前記部分が、前記溶融熱可塑性組成物を前記転写ロールの前記外部表面から拭き取った後、前記１つ以上の凹部に残るようにする工程と、
前記基材の多孔性の第１の主面を前記転写ロールの前記外部表面及び前記１つ以上の凹部にある前記溶融熱可塑性組成物と接触させることにより、前記１つ以上の凹部の前記溶融熱可塑性組成物の少なくとも一部を前記基材の多孔性の第１の主面に転写して、前記多孔性の第１の主面の一部を前記１つ以上の凹部に押し込みかつ前記１つ以上の凹部にある前記熱可塑性組成物の一部を前記多孔性表面に浸透させる工程と、
前記基材を前記転写ロールから分離して、前記基材を前記転写ロールから分離した後、前記熱可塑性組成物を含む１箇所以上の不連続ポリマー領域が、前記基材の多孔性の第１の主面に配置されるようにする工程と、
前記基材の１箇所以上の不連続ポリマー領域を、圧力下で形成ツールと接触させて、前記形成ツールと接触している前記１箇所以上の不連続ポリマー領域の少なくとも１箇所の不連続ポリマー領域に含まれる前記熱可塑性組成物の一部が前記形成ツールの複数のキャビティに入るようにする工程と、
前記基材および前記１箇所以上の不連続ポリマー領域を前記形成ツールから分離して、前記１箇所以上の不連続ポリマー領域を前記形成ツールから分離した後、前記少なくとも１箇所の不連続ポリマー領域が前記形成ツールの前記複数のキャビティに対応するその上に形成された複数の構造を含むようにする工程と
を含む複合ウェブの製造方法。
【請求項４】
前記少なくとも１箇所の不連続ポリマー領域に形成された前記複数の構造がステムを含む請求項１〜３のいずれか１項に記載の方法。
【請求項５】
前記少なくとも１箇所の不連続ポリマー領域に形成された前記複数の構造がフックを含む請求項１〜３のいずれか１項に記載の方法。
【請求項６】
前記少なくとも１箇所の不連続ポリマー領域に形成された前記複数の構造が角錐を含む請求項１〜３のいずれか１項に記載の方法。
【請求項７】
前記基材および前記１箇所以上の不連続ポリマー領域を前記形成ツールから分離した後、前記少なくとも１箇所の不連続ポリマー領域の前記複数の構造を変形する工程をさらに含む請求項１〜３のいずれか１項に記載の方法。
【請求項８】
前記少なくとも１箇所の不連続ポリマー領域に形成された前記複数の構造がステムを含み、かつ該方法が、前記基材及び前記１箇所以上の不連続ポリマー領域を前記形成ツールから分離した後、前記ステムをキャッピングする工程をさらに含む請求項１〜３のいずれか１項に記載の方法。
【手続補正２】
【補正対象書類名】明細書
【補正対象項目名】発明の名称
【補正方法】変更
【補正の内容】
【発明の名称】複合ウェブの製造方法
【手続補正書】
【提出日】平成17年8月22日(2005.8.22)
【手続補正１】
【補正対象書類名】特許請求の範囲
【補正対象項目名】全文
【補正方法】変更
【補正の内容】
【特許請求の範囲】
【請求項１】
ポリアクリレート成分と、
エポキシ成分と、
カチオン開始剤と、を含む硬化性接着剤組成物であって、
前記未硬化の接着剤が光学的に透明であり、
前記組成物の視感透過率が９０％より大きく、
前記組成物の曇りが２％より小さく、
前記組成物の不透明度が１％より小さく、
前記未硬化の硬化性接着剤が硬化して相互貫入高分子網目を含む接着剤を形成することができ、
前記硬化した接着剤を５００時間、９０℃でエージングさせた後、
前記硬化及びエージングした接着剤の視感透過率が９０％より大きく、
前記硬化及びエージングした接着剤の曇りが２％より小さく、
前記硬化及びエージングした接着剤の不透明度が１％より小さい、硬化性接着剤組成物。
【請求項２】
ポリアクリレート成分とエポキシ成分とを含む相互貫入高分子網目を含む硬化した接着剤組成物を含み、前記接着剤組成物が光学的に透明であり、かつ前記接着剤組成物に付着された、配向ポリビニルアルコールを含む脆い偏光層を含む多層アセンブリ。
【手続補正２】
【補正対象書類名】明細書
【補正対象項目名】発明の名称
【補正方法】変更
【補正の内容】
【発明の名称】硬化性接着剤組成物及び多層アセンブリ
【手続補正書】
【提出日】平成17年9月5日(2005.9.5)
【手続補正１】
【補正対象書類名】特許請求の範囲
【補正対象項目名】全文
【補正方法】変更
【補正の内容】
【特許請求の範囲】
【請求項１】
Ａ．次式：
Ｒf−［Ｑ−ＣＲ2−Ｓｉ（Ｙ）3-x（Ｒ1）x］z
（式中、Ｒfは多価ポリフルオロポリエーテルセグメントを表し、Ｑは有機二価連結基を表し、Ｒ1はＣ1〜Ｃ8アルキル基を表し、Ｙは加水分解性基を表し、Ｒは、水素、または１から４の炭素原子を有するアルキル基を表し、それによってＲ基は同一であっても異なってもよく、ｚは２、３または４であり、かつｘは０または１である）で示される少なくとも１つのフルオロケミカルポリエーテルシラン化合物と、
Ｂ．実質的な量の１以上のテトラアルコキシシランと、
を含む組成物。
【請求項２】
架橋剤（Ｃ）をさらに含み、その架橋剤（Ｃ）が、Ｓｉ、Ｔｉ、Ｚｒ、Ｂ、Ａｌ、Ｇｅ、Ｖ、Ｐｂ、ＳｎおよびＺｎからなる群より選択される元素Ｍ1の化合物であり、前記架橋剤（Ｃ）が、１分子当たり、少なくとも１つの加水分解性基と、少なくとも１つの、架橋反応において連結可能な反応性官能基とをさらに有する、請求項１に記載の組成物。
【請求項３】
成分（Ａ）および（Ｂ）における前記加水分解性基が同一であっても異なっていてもよく、かつハライド基、アルコキシ基、アシロキシ基、アリールオキシ基またはポリオキシアルキレン基より独立して選択される、請求項１に記載の組成物。
【請求項４】
前記ポリフルオロポリエーテルセグメントが、−（ＣnＦ2nＯ）−、−（ＣＦ（Ｚ）Ｏ）−、−（ＣＦ（Ｚ）ＣnＦ2nＯ）−、−（ＣnＦ2nＣＦ（Ｚ）Ｏ）−、−（ＣＦ2ＣＦ（Ｚ）Ｏ）−（式中、Ｚは、１から９の炭素原子および０から４の酸素原子を有する、直鎖、分枝鎖または環式の、ペルフルオロアルキル基、酸素置換ペルフルオロアルキル基、ペルフルオロアルコキシ基、または酸素置換ペルフルオロアルコキシ基であり、かつｎは１から１２までの数である）およびそれらの組み合わせからなる群より選択される過フッ素化繰返し単位を含む、請求項１に記載の組成物。
【請求項５】
成分（Ａ）と成分（Ｂ）との重量比が１：１から１：２０である、請求項１に記載の組成物。
【請求項６】
有機溶媒をさらに含み、かつ成分（Ａ）が、組成物の総重量を基準として０．０１重量％と５重量％との間の量で存在し、かつ成分（Ｂ）が、組成物の総重量を基準として０．０１重量％と５重量％との間の量で存在する、請求項１に記載の組成物。
【請求項７】
成分（Ａ）と成分（Ｂ）との重量比が１：１と１：９との間である、請求項１に記載の組成物。
【請求項８】
請求項１に記載の組成物の部分的縮合反応から誘導可能な組成物。
【請求項９】
請求項１に記載の組成物を、基材の表面の少なくとも一部に適用する工程を含む、基材の処理方法。
【請求項１０】
次式：
Ｘ（ＣＦ2）n−Ｏ−Ｃn’Ｆ2n’−Ｏ−（ＣＦ2）nＸ
（式中、ｎは、１から６までであり、ｎ’は、５から１２までであり、Ｘは、−ＣＯＯＨ、−ＣＯＯＭ1/v、−ＣＯＯＮＨ4、−ＣＯＯＲ、−ＣＨ2ＯＨ、−ＣＯＦ、−ＣＯＣｌ、−ＣＯＲ’、ＣＯＮＲ’Ｒ’、−ＣＨ2ＮＨ2、−ＣＨ2ＮＣＯ、−ＣＮ、−ＣＨ2ＯＳＯ2Ｒ、−ＣＨ2ＯＣＯＲ、−ＯＣ（Ｏ）ＣＨ3、−ＣＨ2ＯＣＯＣＲ’＝ＣＨ2、−ＣＯＮＨ（ＣＨ2）mＳｉ（ＯＲ）3、−ＣＨ2Ｏ（ＣＨ2）mＳｉ（ＯＲ）3からなる群より選択され、
Ｍは、アンモニウム基、または１から４の原子価「ｖ」を有する金属原子であり、
各Ｒは、１から１４の炭素原子を有するアルキル基、１から１４の炭素原子を有するフルオロアルキル基、６から１０の環炭素原子を有するアリール基、および１から１４の炭素原子を有するヘテロ原子含有基からなる群より独立して選択され、かつｍは１から１１の整数であり、
Ｒ’は独立してＨまたはＲであるが、ただし、Ｒ’はフルオロアルキル基ではない）のフッ素化化合物を含む組成物。
【請求項１１】
次式：
Ｘ（ＣＦ2）n−Ｏ−（ＣＦ2）q−（Ｃn’Ｆ2n’-2）−（ＣＦ2）q−Ｏ−（ＣＦ2）nＸ
（式中、
ｎは、１から６までであり、
Ｃn’Ｆ2n’-2は、シクロアルキレン部分を表し、ｎ’は５から７までであり、
Ｘは、−ＣＯＯＨ、−ＣＯＯＭ1/v、−ＣＯＯＮＨ4、−ＣＯＯＲ、−ＣＨ2ＯＨ、−ＣＯＦ、−ＣＯＣｌ、−ＣＯＲ’、ＣＯＮＲ’Ｒ’、−ＣＨ2ＮＨ2、−ＣＨ2ＮＣＯ、−ＣＮ、−ＣＨ2ＯＳＯ2Ｒ、−ＣＨ2ＯＣＯＲ、−ＯＣ（Ｏ）ＣＨ3、−ＣＨ2ＯＣＯＣＲ’＝ＣＨ2、−ＣＯＮＨ（ＣＨ2）mＳｉ（ＯＲ）3、−ＣＨ2Ｏ（ＣＨ2）mＳｉ（ＯＲ）3からなる群より選択され、Ｍは、アンモニウム基、または１から４の原子価「ｖ」を有する金属原子であり、
各Ｒは、１から１４の炭素原子を有するアルキル基、１から１４の炭素原子を有するフルオロアルキル基、６から１０の環炭素原子を有するアリール基、および１から１４の炭素原子を有するヘテロ原子含有基からなる群より独立して選択され、
ｑは０または１であり、かつｍは１から１１の範囲の整数であり、
Ｒ’は独立してＨまたはＲであるが、ただし、Ｒ’はフルオロアルキル基ではない）のフッ素化化合物を含む組成物。
【手続補正書】
【提出日】平成17年8月16日(2005.8.16)
【手続補正１】
【補正対象書類名】特許請求の範囲
【補正対象項目名】全文
【補正方法】変更
【補正の内容】
【特許請求の範囲】
【請求項１】
硬化性接着剤組成物であって、
ａ）少なくとも２０〜８０重量％の脂環含有ポリエポキシド樹脂および８０〜２０重量％の芳香族ポリエポキシド樹脂を含み、１０重量％を超える脂環性部分を有するポリエポキシド樹脂混合物と、
ｂ）有効量の９，９−ビス（３−メチル−４−アミノフェニル）フルオレンと、
の混合物を含む接着剤組成物。
【請求項２】
強靭化剤をさらに含む、請求項１に記載の接着剤組成物。
【請求項３】
前記脂環含有ポリエポキシド樹脂が、式
【化１】
2005508436.tif 000001
（式中、ｎは０〜７の整数である）を有する、請求項１又は２に記載の接着剤組成物。
【手続補正書】
【提出日】平成17年11月2日(2005.11.2)
【手続補正１】
【補正対象書類名】特許請求の範囲
【補正対象項目名】全文
【補正方法】変更
【補正の内容】
【特許請求の範囲】
【請求項１】
溶媒、着色剤、およびバインダーポリマーを含むインキであって、約２０〜約６０mN/mの表面張力、５０センチポアズ未満の粘度、および医療装置に対する良好な接着性を有することを特徴とするインキ。
【請求項２】
溶媒の量が約６０〜９９重量％、好ましくは約７０〜９５重量％、より好ましくは約８４〜９４重量％であり、バインダーポリマーの量が約１〜約３０重量％、好ましくは約１〜約１５重量％、より好ましくは約５〜約１０重量％であり、そして着色剤の量が約０〜約１５重量％、好ましくは約０．５〜約８重量％、より好ましくは約０．５〜５重量％である、請求項１記載のインキ。
【請求項３】
着色剤が、少なくとも１種類の顔料、および場合により１種類の染料を含む、請求項２記載のインキ。
【請求項４】
溶媒が、メチルエチルケトン、シクロヘキサノンまたはシクロペンタノン、またはそれらの混合物である、請求項２記載のインキ。
【請求項５】
バインダーポリマーが、多数の架橋性基を含む架橋性ポリマーである、請求項２記載のインキ。
【請求項６】
架橋性ポリマーが、（１）セルロース樹脂、ポリエステル、ポリウレタン、ポリ尿素、もしくはポリアミドであるか；または（２）ビニルアルコール、ビニルブチラール、酢酸ビニル、アクリル酸、メタクリル酸、アクリル酸およびメタクリル酸のヒドロキシＣ１〜Ｃ６アルキルエステル、アクリル酸およびメタクリル酸のアミノＣ１〜Ｃ８アルキルエステル、アクリル酸およびメタクリル酸のグリセロールエステル、ビニルピロリドン、塩化ビニル、ヒドロキシエチルメタクリラート、およびジメチルアクリルアミドを含有するモノマー類の重合によって製造されるものである、請求項５記載のインキ。
【請求項７】
バインダーポリマーが、以下のモノマー対：ヒドロキシエチルメタクリラート（ＨＥＭＡ）／エトキシエチルメタクリラート（ＥＯＥＭＡ）；ビニルアルコール／ビニルブチラール；ビニルアルコール／酢酸ビニル；メチルメタクリラート（ＭＭＡ）／ＨＥＭＡ；ＭＭＡ／Ｎ，Ｎ−ジメチルアクリルアミド（ＤＭＡ）；およびＭＭＡ／Ｎ−ビニル−２−ピロリドン（ＮＶＰ）；のうちの一対から製造される架橋性ポリマーである、請求項６記載のインキ。
【請求項８】
更に、ヘキサメチレンジイソシアナート、２，４−トルエンジイソシアナート、ビス（イソシアナトフェニル）メタン、エポキシド基含有化合物類、ジアジリジン含有化合物類、エチレングリコールジメタクリラート（ＥＧＤＭＡ）、ジエチレングリコールジメタクリラート、エチレングリコールジアクリラート、アリルメタクリラート、アリルアクリラート、１，３−プロパンジオールジメタクリラート、１，６−ヘキサンジオールジメタクリラート、１，４−ブタンジオールジメタクリラート、ポリエチレンオキシドモノ−およびジアクリラート、および１，４−ブタンジオールジアクリラート（ＢＤＤＡ）からなる群より選ばれる架橋剤を含む、請求項５記載のインキ。
【請求項９】
架橋剤の量が０〜約１０重量％、好ましくは約０．５〜約５重量％、より好ましくは約０．５〜２重量％である、請求項８記載のインキ。
【請求項１０】
溶媒が、水、または水と１種類以上の有機溶媒との混合物である、請求項２記載のインキ。
【請求項１１】
架橋性ポリマーが、ポリ（ビニルアルコール）またはその誘導体である、請求項２記載のインキ。
【請求項１２】
バインダーポリマーが、少なくとも約２０００の分子量を有するポリ（ビニルアルコール）の誘導体であるポリヒドロキシル化合物に基づいた架橋性ポリマーであって、
該ポリマーが、ポリ（ビニルアルコール）中のヒドロキシル基の数を基準にして約０．５〜約８０％の、式Ｉ、ＩおよびII、IおよびIII、またはIおよびIIおよびIIIの単位：
【化１】
2005508432.tif 000001
（式中、Ｒは１２個までの炭素原子を有するアルキレンであり、Ｒ１は水素または低級アルキルであり、Ｒ２はオレフィン性不飽和の、好ましくは２５個までの炭素原子を有する
電子吸引性の架橋性基であり、Ｒ３は水素、Ｃ１〜Ｃ６アルキル基またはシクロアルキル基である）；
【化２】
2005508432.tif 000002
（式中、ＲおよびＲ３は前記定義のとおりであり、そしてＲ７は第一級、第二級もしくは第三級アミノ基、または式Ｎ＋（Ｒ′）３Ｘ−（ここで、Ｒ′は、それぞれ互いに独立に、水素またはＣ１〜Ｃ４アルキル基であり、そしてＸは対イオン、たとえばＨＳＯ４−、Ｆ−、Ｃｌ−、Ｂｒ−、Ｉ−、ＣＨ３ＣＯＯ−、ＯＨ−、ＢＦ−、またはＨ２ＰＯ４−である）の第四級アミノ基である）；
【化３】
2005508432.tif 000003
（式中、ＲおよびＲ３は前記定義のとおりであり、そしてＲ８は一塩基性、二塩基性もしくは三塩基性の、飽和もしくは不飽和の、脂肪族もしくは芳香族有機酸またはスルホン酸である）；
を含む、請求項１１記載のインキ。
【請求項１３】
Ｒ２が、式IＶ、好ましくは式Ｖ：
【化４】
2005508432.tif 000004
（式中、ｐおよびｑは、互いに独立に、０または１であり、そしてＲ５およびＲ６は、互いに独立に、２〜８個の炭素原子を有する低級アルキレン、６〜１２個の炭素原子を有するアリーレン、６〜１０個の炭素原子を有する飽和の二価脂環式基、７〜１４個の炭素原子を有するアリーレンアルキレンもしくはアルキレンアリーレン、または１３〜１６個の炭素原子を有するアリーレンアルキレンアリーレンであり、そして式中、Ｒ４は、２〜２４個の炭素原子を有する、好ましくは２〜８個の炭素原子を有する、より好ましくは２〜４個の炭素原子を有するオレフィン性不飽和の共重合性基である）
の基である、請求項１２記載のインキ。
【請求項１４】
少なくとも１種類の界面活性剤を、約０〜約２重量％、好ましくは約０．１〜約０．５重量％、より好ましくは約０．２〜約０．４重量％の量で含む、請求項２記載のインキ。
【請求項１５】
湿潤剤を、約０〜約３０重量％、好ましくは約１〜約１５重量％、より好ましくは約１〜約７重量％の量で含む、請求項２記載のインキ。
【請求項１６】
湿潤剤が、グリセロール、エチレングリコール、ジエチレングリコール、または１，３−ジオキサン−５，５−ジメタノール、またはそれらの混合物である、請求項１５記載のインキ。
【手続補正書】
【提出日】平成17年9月15日(2005.9.15)
【手続補正１】
【補正対象書類名】特許請求の範囲
【補正対象項目名】全文
【補正方法】変更
【補正の内容】
【特許請求の範囲】
【請求項１】
式(I)：
【化１】
2005508431.tif 000001
〔式中、Ｒ1、Ｒ2、Ｒ3およびＲ4は、同じまたは異なるものであり、Ｃ1〜20アルキル、ハロ、ヒドロキシル、水素、シアノ、スルホニル、スルホ、スルファト、アリール、ニトロ、カルボキシルおよびＣ1〜20アルコキシからなる群から選ばれ、Ｒ'は、Ｃ1〜Ｃ8アルキルであり、Ｒは、[(ＥＯ)w(ＰＯ)x(ＢＯ)y(ＥＯ)z]-Ｈ（式中、ＥＯはエチレンオキシを意味し、ＰＯはプロピレンオキシを意味し、ＢＯはブチレンオキシを意味し、ｗは１であり、ｘは０〜３であり、ｙは０〜３であり、ｚは２〜４であり、３≦ｗ＋ｘ＋ｙ＋ｚ≦６）である。〕
示される化合物。
【請求項２】
（ａ）少なくとも１種の熱可塑性成分、少なくとも１種の熱硬化性成分およびこれらのあらゆる混合物からなる群から選ばれる少なくとも１種のポリマー配合物、および（ｂ）該ポリマー配合剤中に存在するか、または該ポリマー配合物の表面に接着している少なくとも１種の請求項１に記載の化合物を着色剤として含む物品。
【請求項３】
ポリマー配合物が、熱可塑性配合物である請求項２に記載の物品。
【請求項４】
熱可塑性配合物が、少なくとも１種のポリエステル成分を含む請求項３に記載の物品。
【請求項５】
少なくとも１種のポリエステル成分が、ポリエチレンテレフタレートである請求項４に記載の物品。
【請求項６】
ポリマー配合物が、熱硬化性配合物である請求項２に記載の物品。
【請求項７】
熱硬化性配合物が、少なくとも１種のポリウレタン成分を含む請求項６に記載の物品。
【請求項８】
少なくとも１種のポリウレタン成分が、ポリウレタンフォームである請求項７に記載の物品。
【手続補正２】
【補正対象書類名】明細書
【補正対象項目名】０００８
【補正方法】変更
【補正の内容】
【０００８】
本発明は、式（I）：
【化１】
2005508431.tif 000002
〔式中、Ｒ1、Ｒ2、Ｒ3およびＲ4は、同じまたは異なるものであり、Ｃ1〜20アルキル、ハロ、ヒドロキシル、水素、シアノ、スルホニル、スルホ、スルファト、アリール、ニトロ、カルボキシルおよびＣ1〜20アルコキシからなる群から選ばれ、Ｒ'は、Ｃ1〜Ｃ8アルキル（長さで３つの炭素原子を超える場合、分枝または非分枝のいずれか）であり、Ｒは、[(ＥＯ)w(ＰＯ)x(ＢＯ)y(ＥＯ)z]-Ｈ（式中、ＥＯはエチレンオキシを意味し、ＰＯはプロピレンオキシを意味し、ＢＯはブチレンオキシを意味し、ｗは１であり、ｘは０〜３であり、ｙは０〜３であり、ｚは２〜６であり、その中で３≦ｗ＋ｘ＋ｙ＋ｚ≦６）である。〕
で示され、（室温および標準圧力で）液状、ワックス状またはペースト状の着色剤化合物を包含する。ブロックコポリマーは、混合コポリマー、また機能として、当然には要求されない。
【手続補正書】
【提出日】平成17年8月4日(2005.8.4)
【手続補正１】
【補正対象書類名】特許請求の範囲
【補正対象項目名】全文
【補正方法】変更
【補正の内容】
【特許請求の範囲】
【請求項１】
ａ）メラニン凝縮ホルモン受容体タイプ１（ＭＣＨ−１Ｒ）をアゴニストによる活性化に対して実質的に不活性とする改変の１つ以上を第２細胞内ループ領域中に有する第１ＭＣＨ−１Ｒアンタゴニスト結合タンパク質、及び
ｂ）ＭＣＨ−１Ｒをアゴニストによる活性化に対して実質的に不活性とする改変の１つ以上をＣ末端中に有する第２ＭＣＨ−１Ｒアンタゴニスト結合タンパク質
からなる群から選択されることを特徴とするＭＣＨ−１Ｒアンタゴニスト結合タンパク質。
【請求項２】
ＭＣＨ−１Ｒアンタゴニスト結合タンパク質が第１ＭＣＨ−１Ｒアンタゴニスト結合タンパク質であることを特徴とする請求の範囲第１項に記載のＭＣＨ−１Ｒアンタゴニスト結合タンパク質。
【請求項３】
ＭＣＨ−１Ｒアンタゴニスト結合タンパク質が配列番号１のアミノ酸配列からなることを特徴とする請求の範囲第２項に記載のＭＣＨ−１Ｒアンタゴニスト結合タンパク質。
【請求項４】
ＭＣＨ−１Ｒアンタゴニスト結合タンパク質が配列番号２のアミノ酸配列からなることを特徴とする請求の範囲第２項に記載のＭＣＨ−１Ｒアンタゴニスト結合タンパク質。
【請求項５】
ＭＣＨ−１Ｒアンタゴニスト結合タンパク質が配列番号３のアミノ酸配列からなることを特徴とする請求の範囲第２項に記載のＭＣＨ−１Ｒアンタゴニスト結合タンパク質。
【請求項６】
ＭＣＨ−１Ｒアンタゴニスト結合タンパク質が第２ＭＣＨ−１Ｒアンタゴニスト結合タンパク質であることを特徴とする請求の範囲第１項に記載のＭＣＨ−１Ｒアンタゴニスト結合タンパク質。
【請求項７】
ＭＣＨ−１Ｒアンタゴニスト結合タンパク質が配列番号４のアミノ酸配列からなることを特徴とする請求の範囲第６項に記載のＭＣＨ−１Ｒアンタゴニスト結合タンパク質。
【請求項８】
請求の範囲第１項〜第７項のいずれか１項に記載のＭＣＨ−１Ｒアンタゴニスト結合タンパク質をコードするヌクレオチド配列を含むことを特徴とする核酸。
【請求項９】
ヌクレオチド配列が、配列番号５、配列番号６、配列番号７及び配列番号８からなる群から選択されるヌクレオトチド配列であることを特徴とする核酸。
【請求項１０】
ヌクレオトチド配列が配列番号５からなることを特徴とする請求の範囲第９項に記載の核酸。
【請求項１１】
ヌクレオトチド配列が配列番号６からなることを特徴とする請求の範囲第９項に記載の核酸。
【請求項１２】
ヌクレオトチド配列が配列番号７からなることを特徴とする請求の範囲第９項に記載の核酸。
【請求項１３】
ヌクレオトチド配列が配列番号８からなることを特徴とする請求の範囲第９項に記載の核酸。
【請求項１４】
核酸が発現ベクターであることを特徴とする請求の範囲第８項〜第１３項のいずれか１項に記載の核酸。
【請求項１５】
請求の範囲第１４項に記載の発現ベクターを含む組換え細胞であって、前記ヌクレオチド配列が前記細胞により認識されるプロモーターに機能的に連結していることを特徴とする前記組換え細胞。
【請求項１６】
ＭＣＨ−１Ｒに結合し得る化合物のスクリーニング方法であって、
ａ）請求の範囲第１項〜第７項のいずれか１項に記載のＭＣＨ−１Ｒアンタゴニスト結合タンパク質を前記化合物と接触させるステップ、及び
ｂ）前記化合物のＭＣＨ−１Ｒアンタゴニスト結合タンパク質に結合する能力を測定するステップ
を含むことを特徴とする前記スクリーニング方法。
【請求項１７】
請求の範囲第１５項に記載の組換え細胞をタンパク質が発現ベクターから発現する条件下で増殖させるステップを含むことを特徴とするＭＣＨ−１Ｒアンタゴニスト結合タンパク質の作製方法。
【手続補正書】
【提出日】平成17年11月8日(2005.11.8)
【手続補正１】
【補正対象書類名】明細書
【補正対象項目名】００１４
【補正方法】変更
【補正の内容】
【００１４】
固定ディスク３および回転可能ディスク４内の穴５は円形線上に配置されている、一方のディスクの円の半径は他方のディスクの円の半径に等しい。一方のディスクの穴は円形線に沿って分離角Ｖ１（＝３６０／ｎ１）で均等に配置されており、ｎ１は穴の数に等しい。他方のディスクの穴は３６０／ｎ２に等しい分離角Ｖ２で円形線に沿って均等に配置されている。第一の放射案内部６の第一の端部は固定ディスク３の穴に固定されている。第二の放射案内部７の第一の端部は回転可能ディスク４の穴に固定されている。穴を形成して、回転可能ディスク４を回転したときに両方のディスクの放射案内部を異なる配列で互いに連結可能にするために、ｎ２はｎ１の倍数として選択され、それにより、ｎ２は１より大きい整数かまたはｎ１に等しいものとして得られる。固定ディスク内の穴の数は二個から六個まで適切に選択される。
【手続補正２】
【補正対象書類名】明細書
【補正対象項目名】００２７
【補正方法】変更
【補正の内容】
【００２７】
対応する波長の放射（光）が腫瘍の組織を浸透する方式を研究するために、特定の放射源９ａを利用することができる。放射源９ａからの光が特別の放射案内部７ａ’を通ってディスク１３、１４、３、４を介して組織内に伝達されるときに、供給器１内の放射案内部６’に対向する第一の放射案内部６の一つが腫瘍内の送信部として機能し、腫瘍内の他の五つの放射案内部６は受信部として機能して、これらに到達する分散光束を収集する。収集された光はディスク３、４を介して放射センサ１２まで再び案内され、五つの異なる光強度が検出配列体において記録される。
【手続補正書】
【提出日】平成17年7月8日(2005.7.8)
【手続補正１】
【補正対象書類名】特許請求の範囲
【補正対象項目名】全文
【補正方法】変更
【補正の内容】
【特許請求の範囲】
【請求項１】
身体の管腔をテストするための装置であって、生体内にあるときに、予め定められた期間の間は初期の寸法を有し、かつ前記予め定められた期間の後は縮小された寸法を有し、監視ユニットを含む、装置。
【請求項２】
前記予め定められた期間は約１００時間以上の期間である、請求項１に記載の装置。
【請求項３】
浸透性コーティングと、前記コーティング内に配置される充填材とを含む、請求項１に記載の装置。
【請求項４】
前記予め定められた期間の後で、前記コーティングは破裂する、請求項３に記載の装置。
【請求項５】
前記コーティングは、パリレンＣ、ハードゼラチン、ソフトゼラチン、植物性ゼラチン、およびヒドロゲルからなる群から選択される材料または材料の組み合わせを含む、請求項３に記載の装置。
【請求項６】
前記充填材はフィラー、生物分解性ポリマー、親水性物質のマイクロ粒子、およびヒドロゲルからなる群から選択される材料または材料の組み合わせを含む、請求項３に記載の装置。
【請求項７】
前記充填材はさらに接着剤を含む、請求項３に記載の装置。
【請求項８】
前記監視ユニットは信号を発生する、請求項１に記載の装置。
【請求項９】
トランスミッタをさらに含む、請求項１に記載の装置。
【請求項１０】
前記装置から放出されるマーカーを含む、請求項１に記載の装置。
【請求項１１】
ＧＩ管を検査するための装置であって、
可溶性本体と、
前記本体に固定された可溶性プラグとを含み、前記本体およびプラグは閉鎖された受け部を規定し、前記装置はさらに、
前記プラグおよび本体を包含する本質的に不浸透性の外側コーティングを含み、前記コーティングはプラグの全体ではなく部分的に覆う、装置。
【請求項１２】
ＩＤタグを含む、請求項１１に記載の装置。
【請求項１３】
前記ＩＤタグは前記受け部内に包含される、請求項１１に記載の装置。
【手続補正書】
【提出日】平成17年6月17日(2005.6.17)
【手続補正１】
【補正対象書類名】特許請求の範囲
【補正対象項目名】全文
【補正方法】変更
【補正の内容】
【特許請求の範囲】
【請求項１】
患者の組織の領域を滅菌または消毒するシステムであって、
紫外線発光ランプ、および
該ランプから発光された紫外線の少なくとも一部を透過するよう調節されたバンデージ、
を含み、該バンデージが前記組織の領域の少なくとも一部を覆っている、前記システム。
【請求項２】
バンデージが、紫外線発光ランプから発光された光スペクトルの選択された部分をフィルタリングする光フィルターを含む、請求項１に記載のシステム。
【請求項３】
バンデージが、患者の紫外線に照射される領域全体を覆っている、請求項１に記載のシステム。
【請求項４】
バンデージが可動パッドを含む、請求項１に記載のシステム。
【請求項５】
組織の領域がカテーテル挿入部位を含む、請求項１に記載のシステム。
【請求項６】
組織の領域が外傷部位を含む、請求項１に記載のシステム。
【請求項７】
バンデージの少なくとも一部の紫外線に対する透過率を決定する行為、および
該バンデージの少なくとも一部を通して照射すべき紫外線の強度を選択する行為、
を含む、方法。
【請求項８】
バンデージの少なくとも一部における紫外線の透過率を決定する行為が、該バンデージ上の可視的インジケータを読み取ることを含む、請求項７に記載の方法。
【請求項９】
バンデージの少なくとも一部における紫外線の透過率を決定する行為が、該バンデージ上のバーコードを読み取ることを含む、請求項８に記載の方法。
【請求項１０】
紫外線透過フィルム、および
該フィルムに連結され、フィルムが紫外線にさらされたことを表示する色変化材料、
を含む、バンデージ。
【請求項１１】
フィルムに連結された接着剤が色変化材料を含む、請求項１０に記載のバンデージ。
【請求項１２】
色変化材料が、該色変化材料を紫外線を照射する前の状態に戻すのに必要とする時間が、紫外線を照射する所望の間隔に対応するように選択される、請求項１０に記載のバンデージ。
【請求項１３】
色変化材料がフィルムに埋めこまれている、請求項１０に記載のバンデージ。
【請求項１４】
カテーテルを保持し挿入部位付近の患者の皮膚とカテーテルの間のスペースを取るための導管を有する要素であって、皮膚と前記要素の少なくとも一部に接着しているバンデージとの間に、実質的に気密シールを形成するのを支援するよう、配置され形づくられている、前記要素、
を含み、挿入部位から患者の皮膚を通して挿入されるカテーテルと共に用いるデバイス。
【請求項１５】
カテーテルを保持し挿入部位付近の患者の皮膚とカテーテルの間のスペースを取るための導管を有する要素であって、皮膚と前記要素の少なくとも一部に接着しているバンデージとの間に、実質的に光遮断シールを形成するのを支援するよう、配置され形づくられている、前記要素、
を含み、挿入部位から患者の皮膚を通して挿入されるカテーテルと共に用いるデバイス。
【請求項１６】
要素の少なくとも一部が、皮膚とバンデージの間に配置されている、請求項１４に記載のデバイス。
【請求項１７】
要素が、皮膚を通る挿入部位とバンデージの間に実質的な気密シールを形成するのを支援するよう、配置され形づくられている、請求項１４に記載のデバイス。
【請求項１８】
要素の少なくとも一部が、皮膚とバンデージの間に配置されている、請求項１５に記載のデバイス。
【請求項１９】
要素が、皮膚を通る挿入部位とバンデージの間に実質的な光遮断シールを形成するのを支援するよう、配置され形づくられている、請求項１５に記載のデバイス。
【手続補正書】
【提出日】平成17年9月13日(2005.9.13)
【手続補正１】
【補正対象書類名】明細書
【補正対象項目名】０４５７
【補正方法】変更
【補正の内容】
【０４５７】
示したポリメラーゼをコードするプラスミドで形質転換した大腸菌 BL21 (DE3) の試料を、ブダペスト条約に従って、米国農業研究サービスカルチャーコレクション（Agricultural Research Service Culture Collection ：NRRL)、1815 North University Street, Peoria, Illinois, 61604, USAに寄託した。エントリー11-15を、大腸菌 BL21 (SI) において寄託した。
2005508630.tif 000001
【手続補正書】
【提出日】平成17年11月11日(2005.11.11)
【手続補正１】
【補正対象書類名】特許請求の範囲
【補正対象項目名】全文
【補正方法】変更
【補正の内容】
【特許請求の範囲】
【請求項１】
近位部および遠位部を有し、その近位部および遠位部が長手軸を規定しているカテーテル体と、カテーテル体の遠位部に取付けられている少なくとも１つの展開可能な傘型体とを備えている組織アブレーション装置であって、
その傘型体は、各々が遠位端部およびヒンジ端部を有し、かつそのヒンジ端部がカテーテル体に取付けられている複数の放射状のスプラインと、その複数のスプラインの少なくとも１つに取付けられている少なくとも１つのアブレーション要素とを備える、
前記組織アブレーション装置。
【請求項２】
さらに、スプラインに連結されている展開要素を備え、その展開要素は傘型体を調整可能に展開させることができる、請求項１に記載の組織アブレーション装置。
【請求項３】
アブレーション要素が、スプラインの遠位端部でそのスプラインに取付けられている、請求項１に記載の組織アブレーション装置。
【請求項４】
アブレーション要素が、スプラインの遠位端部とヒンジ端部との中間の位置でそのスプラインに取付けられている、請求項１に記載の組織アブレーション装置。
【請求項５】
展開要素が、スプラインに周方向に外接しているスライド可能な展開／格納環を備える、請求項２に記載の組織アブレーション装置。
【請求項６】
スプラインのヒンジ端部がカテーテル体に取付けられている、請求項１に記載の装置。
【請求項７】
スプラインのヒンジ端部がカテーテル体の中心ハブに取付けられている、請求項１に記載の装置。
【請求項８】
さらに、スライド可能な展開／格納環をスプラインに連結させる連結ロッドを備える、請求項５に記載の組織アブレーション装置。
【請求項９】
傘型体がさらに、複数のスプラインに取付けられている少なくとも１つの円周状ループまたはループのセグメントを備える、請求項１に記載の組織アブレーション装置。
【請求項１０】
傘型体が、複数のスプラインに取付けられている１つの円周状ループを備える、請求項１に記載の組織アブレーション装置。
【請求項１１】
傘型体が、複数のスプラインに取付けられている２つの円周状ループを備える、請求項１に記載の組織アブレーション装置。
【請求項１２】
ループのセグメントがスプラインと連続している、請求項９に記載の組織アブレーション装置。
【請求項１３】
ループのセグメントがヒンジ形である、請求項９に記載の組織アブレーション装置。
【請求項１４】
円周状ループまたはループのセグメントの少なくとも１つが導電性である、請求項９に記載の組織アブレーション装置。
【請求項１５】
さらに、円周状ループまたはループのセグメントの少なくとも１つに取付けられているアブレーション要素を備える、請求項９に記載の組織アブレーション装置。
【請求項１６】
スプラインの遠位端部がカテーテル体の長手軸に対して角度αで移動する、請求項１に記載の組織アブレーション装置。
【請求項１７】
角度αがカテーテル体の長手軸に対して約０°〜約90°である、請求項16に記載の組織アブレーション装置。
【請求項１８】
角度αがカテーテル体の長手軸に対して約０°〜約180°である、請求項16に記載の組織アブレーション装置。
【請求項１９】
傘型体がさらに、隣接するスプラインの１組以上に取付けられている膜材を備える、請求項１に記載の組織アブレーション装置。
【請求項２０】
膜材が少なくとも１つのアブレーション要素を備える、請求項19に記載の組織アブレーション装置。
【請求項２１】
膜材が導電性の膜材である、請求項19に記載の組織アブレーション装置。
【請求項２２】
アブレーション要素が、超低温要素、超音波要素、発光要素、マイクロ波要素、熱要素、レーザー、化学的溶液、および電極要素から選択される、請求項１に記載の組織アブレーション装置。
【請求項２３】
アブレーション要素が電極である、請求項１に記載の組織アブレーション装置。
【請求項２４】
電極がバンド電極である、請求項23に記載の組織アブレーション装置。
【請求項２５】
電極がスパイラル電極である、請求項23に記載の組織アブレーション装置。
【請求項２６】
電極がコイル電極である、請求項23に記載の組織アブレーション装置。
【請求項２７】
１つの傘型体を備える、請求項１に記載の組織アブレーション装置。
【請求項２８】
２つの傘型体を備える、請求項１に記載の組織アブレーション装置。
【請求項２９】
さらに、少なくとも１つのモニター装置またはセンサー要素を備える、請求項１に記載の組織アブレーション装置。
【請求項３０】
モニター装置が、組織アブレーション装置に取付けられている心内エコー装置である、請求項29に記載の組織アブレーション装置。
【請求項３１】
モニター装置が、組織アブレーション装置に取付けられている超音波変換アセンブリである、請求項29に記載の組織アブレーション装置。
【請求項３２】
センサー要素が電極である、請求項29に記載の組織アブレーション装置。
【請求項３３】
展開要素が、スプラインに周方向に外接しているスライド可能な展開／格納環を備え、その環がさらに、その展開／格納環をカテーテル体の長手軸に沿って調整可能にスライドさせるための装置を備える、請求項２に記載の組織アブレーション装置。
【請求項３４】
展開のための手段がスライド可能な部材を備え、そのスライド可能な部材がスプラインと連続しており、そのスライド可能な部材がカテーテル体の中心内腔部の内側にある、請求項１に記載の組織アブレーション装置。
【請求項３５】
心房性不整脈を治療するための組織アブレーション装置であって、
近位部および遠位部を有し、その近位部および遠位部が長手軸を規定しているカテーテル体とカテーテル体の遠位部に位置する少なくとも１つの展開可能な傘型体とを備え、
その傘型体は、カテーテル体に取付けられている複数のスプラインと、少なくとも１つのアブレーション要素とを備え、その少なくとも１つのアブレーション要素が複数のスプラインの少なくとも１つに取付けられている、前記装置。
【請求項３６】
スプラインが、肺静脈開口部の大きさに適合するように放射状に展開可能である、請求項35に記載の装置。
【手続補正書】
【提出日】平成17年11月8日(2005.11.8)
【手続補正１】
【補正対象書類名】特許請求の範囲
【補正対象項目名】請求項７
【補正方法】変更
【補正の内容】
【請求項７】
粒子の少なくとも約７０重量％が、１８０から８５０マイクロメートルの範囲のサイズを持つことを特徴とする請求項１から６いずれか１項記載の粉末状飲料用ホワイトナー組成物。
【手続補正２】
【補正対象書類名】特許請求の範囲
【補正対象項目名】請求項２０
【補正方法】変更
【補正の内容】
【請求項２０】
前記ジェットのジェット速度が約３から約５０ｍ／ｓであることを特徴とする請求項１記載の方法。
【手続補正書】
【提出日】平成17年7月11日(2005.7.11)
【手続補正１】
【補正対象書類名】特許請求の範囲
【補正対象項目名】全文
【補正方法】変更
【補正の内容】
【特許請求の範囲】
【請求項１】
選択をファージディスプレイ技術で遂行することを特徴とする、血清でのｃＤＮＡライブラリーの選択による特異的腫瘍抗原フラグメントの同定方法であって、該技術で用いられるファージが繊維状ファージでないという条件での方法。
【請求項２】
選択をＳＥＲＥＸ技術(組換えｃＤＮＡの発現による自己腫瘍抗原の血清学的分析)により遂行する、請求項１記載の方法。
【請求項３】
選択をアフィニティー選択技術により遂行する、請求項１または２記載の方法。
【請求項４】
ライブラリーを腫瘍生検から入手する、請求項１記載の方法。
【請求項５】
ライブラリーを培養された腫瘍セルラインから入手する、請求項１記載の方法。
【請求項６】
請求項１〜５記載の方法で得られる新規腫瘍抗原フラグメント。
【請求項７】
- ＭＧＴＳＲＰＡＮＲＥＡＫＱＬＨＨＱＰＨＳＩＥＬＩＱＳＳＧＲ;
- ＭＧＴＳＲＰＡＮＳＥＶＹＫＰＴＬＬＹＳＳＧＲ; 
- ＭＧＴＳＧＲＰＴＶＧＦＴＬＤＦＴＶＤＰＰＳＧＲ; 
- ＭＧＴＳＲＡＧＱＬＹＲＴＴＬＴＹＴＳＧＲ; 
- ＭＧＴＳＲＡＧＱＬＨＡＦＰＬＨＳＴＴＬＹＹＴＴＰＳＧＲ;
- ＭＲＹＹＴＡＴＫＴＹＥＬＭＬＤＡＴＴＱＴＳＧＲ;
- ＭＲＶＩＤＲＡＱＡＦＶＤＥＩＦＧＧＧＤＤＡＨＮＬＮＱＨＮＳＳＧＲ
から成る群から選択される、請求項６記載の抗原フラグメント。
【請求項８】
-ＶＬＶＡＧＱＲＹＱＳＲＳＧＨＤＱＫＮＨＲＫＨＨＧＫＫＲＭＫＳＫＲＳＴＳＬＳＳＰＲＮＧＴＳＧＲ;
-ＭＧＴＳＲＡＧＱＱＲＥＱＥＫＫＲＳＰＱＤＶＥＶＬＫＴＴＴＥＬＦＨＳＮＥＥＳＧＦＦＮＥＬＥＡＬＲＡＥＳＶＡＴＫＡＥＬＡＳＹＫＥＫＡＥＫＬＱＥＥＬＬＶＫＥＴＮＭＴＳＬＱＫＤＬＳＱＶＲＤＨＱＧＲＧ; 
-ＡＧＴＳＲＡＧＱＨＡＦＥＱＩＰＳＲＱＫＫＩＬＥＥＡＨＥＬＳＥＤＨＹＫＫＹＬＡＫＬＲＳＩＮＰＰＣＶＰＦＦＧＩＹＬＴＮＬＬＫＴＥＥＧＮＰＥＶＬＫＲＨＧＫＥＬＩＮＦＳＫＲＲＫＶＡＥＩＴＧＥＩＱＱＹＱＮＱＹＣＬＲＶＥＳＤＩＫＲＦＦＥＮＬＮＰＭＧＮＳＭＥＫＥＦＴＤＹＬＦＮＫＳＬＥＩＥＰＲＫＰＳＧＲ;
-ＭＧＴＳＲＡＧＱＱＥＲＳＬＡＬＣＥＰＧＶＮＰＥＥＱＬＩＩＩＱＳＲＬＤＱＳＬＥＥＮＱＤＬＫＫＥＬＬＫＣＫＱＥＡＲＮＬＱＧＩＫＤＡＬＱＱＲＬＴＱＱＤＴＳＶＬＱＬＫＱＥＬＬＲＡＮＭＤＫＤＥＬＨＮＱＮＶＤＬＱＲＫＬＤＥＲＴＱＲＰ;
-ＭＧＴＳＲＡＧＱＰＭＳＧＨＧＳＦＱＥＶＰＲＬＨＴＳＡＱＬＲＳＡＳＬＨＳＥＧＬＳＣＣＱＥＧＱＶＧＱＣＱＳＰＥＴＤＱＱＱＰＫＭＨＱＰＳＧＲ;
-ＴＳＲＡＧＱＬＡＲＩＰＳＶＴＡＳＥＱＧＲＴ;
-ＴＳＧＰＡＮＡＡＰＰＳＡＤＤＮＩＫＴＰＡＥＲＬＲＧＰＬＰＰＳＡＤＤＮＬＫＴＰＳＥＲＱＬＴＰＬＰＰＡＡＡＫ;
-ＴＳＲＡＧＱＲＥＬＧＲＴＧＬＹＰＳＹＫＶＲＥＫＩＥＴＶＫＹＰＴＹＰＥＡＥＫ;
-ＴＳＶＬＥＰＴＫＶＴＦＳＶＳＰＩＥＡＴＥＫＣＫＫＶＥＫＧＮＲＧＬＫＮＩＰＤＳＫＥＡＰＶＮＬＣＫＰＳＬＧＫＳＴＩＫＴＮＴＰＩＧＣＫＶＲＫＴＥＩＩＳＹＰＳＴＳＧＲ;
-ＭＤＬＴＡＶＹＲＴＦＨＰＴＩＴＥＹＴＦＹＬＴＶＨＧＴＦＳＫＩＤＨＭＩＧＨＫＴＳＬＮＫＳＫＫＴＥＩＩＳＳＴＬＳＤＨＳＧＩＫＬＥＳＮＳＫＲＮＰＱＩＨＡＳＧＲ;
-ＭＰＩＤＶＶＹＴＷＶＮＧＴＤＬＥＬＬＫＥＬＱＱＶＲＥＱＭＥＥＥＱＫＡＭＲＥＩＬＧＫＮＴＴＥＰＴＫＫＲＳＹＦＶＮＦＬＡＶＳＳＧＲ;
-ＴＳＧＲＰＴＹＫＶＮＩＳＫＡＫＴＡＶＴＥＬＰＳＡＲＴＤＴＴＰＶＩＴＳＶＭＳＬＡＫＩＰＡＴＬＳＴＧＮＴＮＳＶＬＫＧＡＶＴＫＥＡＡＫＩＩＱＤＥＳＴＱＥＤＡＭＫＦＰＳＳＱＳＳＱＰＳＲＬＬＫＮＫＧＩＳＣＫＰＶＴＨＰＳＧＲ;
-ＴＳＲＡＧＱＬＲＦＳＤＨＡＶＬＫＳＬＳＰＶＤＰＶＥＰＩＳＮＳＥＰＳＭＮＳＤＭＧＫＶＳＫＮＤＴＥＥＥＳＮＫＳＡＴＴＤＮＥＩＳＲＴＥＹＬＣＥＮＳＬＥＧＫＮＫＤＮＳＳＮＥＶＦＰＱＹＡＳＧＲ;
-ＴＳＲＡＧＱＲＫＱＳＦＰＮＳＤＰＬＨＱＳＤＴＳＫＡＰＧＦＲＰＰＬＱＲＰＡＰＳＰＳＧＩＶＮＭＤＳＰＹＧＳＶＴＰＳＳＴＨＬＧＮＦＡＳＮＩＳＧＧＱＭＹＧＰＧＡＰＬＧＧＡＰＴＳＧＲ;
-ＭＧＴＳＲＡＧＱＰＴＳＥＮＹＬＡＶＴＴＫＴＫＨＫＨＳＬＱＰＳＮＡＳＩＳＬＬＧＩＹＰＴＰＳＧＲ;
-ＴＳＲＡＧＱＲＤＴＱＴＨＡＨＶＳＶＣＶＨＴＰＨＨＴＹＫＹＰＴＳＧＲ
から成る群から選択される配列または該配列をコードする遺伝子の産物の全体または一部の腫瘍抗原フラグメントとしての使用。
【請求項９】
乳癌腫瘍抗原としての
-ＴＳＲＡＧＱＲＹＥＫＳＤＳＳＤＳＥＹＩＳＤＤＥＱＫＳＫＮＥＰＥＤＴＥＤＫＥＧＣＱＭＤＫＥＰＳＡＶＫＫＫＰＫＰＴＮＰＶＥＩＫＥＥＬＫＳＴＰＰＡ；
-ＭＧＴＳＲＡＧＱＬＶＥＥＬＤＫＶＥＳＱＥＲＥＤＶＬＡＧＭＳＧＫＳＳＦＱＲＳＥＧＤＦＬＬＲＳＬＴＳＧＲ
から成る群から選択される配列または該配列をコードする遺伝子の産物の全体または一部の抗原フラグメントの使用。
【請求項１０】
腫瘍病変の画像診断用造影剤の製造に有用な活性剤としての、請求項６〜９記載の抗原フラグメントの使用。
【請求項１１】
胸部腫瘍病変の画像診断用造影剤の製造に有用な活性剤としての、請求項９記載の抗原フラグメントの使用。
【請求項１２】
請求項６〜９のいずれか１項記載の抗原についての特異的リガンド。
【請求項１３】
請求項６〜９のいずれか１項記載の抗抗原抗体。
【請求項１４】
標的特異的造影剤の製造についての請求項１２記載のリガンドまたは請求項１３記載の抗体の使用。
【請求項１５】
腫瘍診断についての請求項１４記載の使用。
【請求項１６】
請求項６〜９のいずれか１項記載の少なくとも一抗原および／または請求項１２記載の少なくとも一特異的リガンドおよび／または請求項１３記載の抗体を含む標的特異的造影剤。
【請求項１７】
請求項９記載の少なくとも一抗原および／または請求項１２記載のその少なくとも一特異的リガンドおよび／または請求項１３記載のその特異的抗体を含む乳癌特異的造影剤。
【請求項１８】
マップが図１で提供されるｃＤＮＡライブラリーについての発現／ディスプレイ・ベクター(λＫＭ４)。
【請求項１９】
請求項１〜５のいずれか１項記載の方法における請求項１８記載のベクターの使用。
【手続補正書】
【提出日】平成17年10月20日(2005.10.20)
【手続補正１】
【補正対象書類名】特許請求の範囲
【補正対象項目名】請求項６
【補正方法】変更
【補正の内容】
【請求項６】
磁気共鳴方法によりダイナミック画像を形成する、コンピュータプログラムであって、
コンピュータに、
静磁場及び一時的な傾斜磁場を印加し、
多数の受信アンテナのアレイにより磁気共鳴信号を取得し、それに対してｋ空間中の磁場の不均一性及び／又はアンダーサンプリングにより前記磁気共鳴画像のエイリアシングが生じ、
撮像されるべき対象を、所定の閾値よりも下の遅い変化の領域と、前記撮像されるべき対象の全体ＦＯＶに対してダイナミックＦＯＶが制限されている領域を定める、前記閾値よりも上の速い変化の領域とに分割し、
前記全体ＦＯＶ中の対象を、前記取得用受信アンテナの数及び前記ＦＯＶの分割に依存する低減係数でｋ空間中でサンプリングし、
前記ダイナミックＦＯＶ中の前記ｋ空間サンプリング位置を、フーリエ変換により空間領域へ変換し、時間・周波数領域へ更に変換し、
前記ｋ空間中のサブサンプリングされた位置から導出される前記時間・周波数領域中の位置を前記受信アンテナのアレイの空間感度プロファイルに基づいて展開し、前記空間・周波数領域のうち前記遅い変化の領域に関連する部分をゼロに設定し、
前記時間・周波数領域中の結果として得られるデータを、前記時間領域へフーリエ変換することについての実行を制御させるコンピュータ読み取り可能なコンピュータプログラム。
【手続補正書】
【提出日】平成17年10月17日(2005.10.17)
【手続補正１】
【補正対象書類名】特許請求の範囲
【補正対象項目名】全文
【補正方法】変更
【補正の内容】
【特許請求の範囲】
【請求項１】
研磨パッドを製造する方法であって、
光学的に実質的に透明な層の上にある研磨層を有するパッド材料を準備することと、
パッド材料を切除する面上に配置し、パッド材料を切削工具に対して動かして研磨層を切削工具を用いて切除することにより、光学的に実質的に透明な層から研磨層の一部を切除することと、
を含み、
切除する面が可動のバキュームテーブルを含み、パッド材料を切削工具に対して動かすことが、パッド材料を可動のバキュームテーブル上に配置し、バキュームテーブルを切削工具に対して横方面に動かすこととを含む、方法。
【請求項２】
研磨パッドを製造する方法であって、
光学的に透明な層の上にある研磨層を含むパッド材料を可動面に配置することと、
切削工具をパッド材料と接触させることと、
研磨層の一部を切除することと
を含み、切削工具が、軸に対して横方向に取り付けられた回転ディスクを含み、可動面を、軸の主軸に対して実質的に直角に動かす方法。
【請求項３】
研磨層の一部を切除することが、回転ディスクの周面上に設けられた複数の切削歯を有する回転ディスクを用いる切削を含む、請求項２記載の方法。
【手続補正書】
【提出日】平成17年9月13日(2005.9.13)
【手続補正１】
【補正対象書類名】特許請求の範囲
【補正対象項目名】全文
【補正方法】変更
【補正の内容】
【特許請求の範囲】
【請求項１】
ａ）露出面と非露出面とを有するフィルムと、寸法安定性のある支持体と、前記フィルムの前記非露出面と前記支持体との間に配置された接着剤とを含む受像シートを提供することと、
ｂ）前記フィルムの前記露出面を印刷することと、
ｃ）前記フィルムの前記露出面を基板に接着させることと、
ｄ）前記接着剤を取り除くと同時に前記支持体を取り除くこととを含む印刷方法。
【請求項２】
ａ）露出面と非露出面とを有する寸法安定性のないフィルムと、寸法安定性のある支持体と、前記フィルムの前記非露出面と前記支持体との間に配置された剥離可能な接着剤とを含む受像シートを提供することと、
ｂ）前記フィルムの前記露出面を印刷することとを含む印刷方法。
【請求項３】
露出面と非露出面とを有する寸法安定性のないフィルムと、寸法安定性のある支持体と、前記フィルムの前記非露出面と前記支持体との間に配置された剥離可能な接着剤とを含む受像シート。
【手続補正書】
【提出日】平成17年8月25日(2005.8.25)
【手続補正１】
【補正対象書類名】特許請求の範囲
【補正対象項目名】全文
【補正方法】変更
【補正の内容】
【特許請求の範囲】
【請求項１】
第１の主面と第２の主面とを含む基材と、
１以上の強化不連続ポリマー領域の各強化不連続ポリマー領域が、基材の一部に浸透する非エラストマー熱可塑性組成物を含む、前記基材に付着された１以上の強化不連続ポリマー領域と、
１以上の弾性要素の各弾性要素が、基材の一部に浸透するエラストマー熱可塑性組成物を含む弾性不連続ポリマー領域を含む、前記基材に付着された１以上の弾性要素と
を含む、弾性物品。
【請求項２】
前記基材が、第１の基材と第２の基材とを含む積層基材を含み、前記１以上の弾性要素の各弾性要素が、前記第１の基材と前記第２の基材との間に位置する、請求項１に記載の物品。
【請求項３】
前記１以上の弾性要素のうちの少なくとも１つの弾性要素が、前記基材の前記第１の主面上に位置する、請求項１に記載の物品。
【請求項４】
前記１以上の弾性要素のうちの少なくとも１つの弾性要素が、前記基材の前記第２の主面上に位置する、請求項１に記載の物品。
【請求項５】
延長軸をさらに含み、前記１以上の弾性要素の各弾性要素が、幅より大きい長さを含み、かつ前記１以上の弾性要素の各弾性要素の前記長さの方向が、前記延長軸に整列される、請求項１に記載の物品。
【請求項６】
前記延長軸に沿って前記１以上の強化不連続ポリマー領域から離される時に、前記１以上の弾性要素の各弾性要素中のエラストマー熱可塑性物質の量が増加する、請求項５に記載の物品。
【請求項７】
第１の主面と第２の主面とを含む基材と、
複数の非エラストマー不連続ポリマー領域の各非エラストマー不連続ポリマー領域が、基材の一部に浸透する非エラストマー熱可塑性組成物を含む、前記基材へと付着された複数の非エラストマー不連続ポリマー領域と、
複数のエラストマー不連続ポリマー領域の各エラストマー不連続ポリマー領域が、基材の一部に浸透するエラストマー熱可塑性組成物を含む、前記基材へと付着された複数のエラストマー不連続ポリマー領域と、
１以上の分離線が、複合ウェブ中の複数の区別可能な物品の境界を規定し、かつ前記複数の物品の各物品が、前記複数の非エラストマー不連続ポリマー領域のうちの少なくとも１つの非エラストマー不連続ポリマー領域と前記複数のエラストマー不連続ポリマー領域のうちの少なくとも１つのエラストマー不連続ポリマー領域とを含む、複合ウェブ中の１以上の分離線と
を含む、複合ウェブ。